(57)【要約】【課題】鉄心にダクトが設けられている回転電機において効率的に冷却を行う。【解決手段】回転電機１００は、ロータシャフト１１と、軸方向流路１２ａおよび複数の回転子鉄心ダクト１２ｄが形成された回転子鉄心１２を有する回転子１０と、回転子鉄心１２に空隙１８を介して設けられ複数の固定子鉄心ダクト２１ｄが形成された固定子鉄心２１と、複数の固定子スロット内を貫通する固定子巻線導体を含む固定子巻線２２を有する固定子２０と、フレーム４０と、結合側および反結合側軸受３０ａ、３０ｂと、結合側および反結合側軸受ブラケット４５ａ、４５ｂと、外気供給装置５０を備える。回転子鉄心１２は、軸方向流路１２ａの出口空間４０ｖに面する端部を閉止する軸方向流路閉止板１２ｐを有し、フレーム４０は、固定子鉄心２１とフレーム４０間の環状流路４０ｆの入口空間４０ｗに面する端部を閉止する固定子閉止板４０ｃを有する。【選択図】図１
2020145785.tif 000002
【特許請求の範囲】
【請求項１】
回転軸方向に延びて回転可能に支持されたロータシャフトと、前記ロータシャフトの径方向外側に設けられ軸方向に貫通する軸方向流路および軸方向に互いに間隔をおいて形成されて前記軸方向流路から径方向外側への流路となる複数の回転子鉄心ダクトが形成された回転子鉄心とを有する回転子と、
前記回転子鉄心の径方向外側に空隙を介して設けられ軸方向に互いに間隔をおいて形成されて前記空隙から径方向外側への流路となる複数の固定子鉄心ダクトが形成された円筒状の固定子鉄心と、前記固定子鉄心の径方向内側に周方向に互いに間隔をもって配されて軸方向に貫通する複数の固定子スロット内を貫通する固定子巻線導体を含む固定子巻線とを有する固定子と、
前記固定子の径方向を覆うように配置され外気を取り入れるための取り入れ口および前記固定子を挟んで軸方向の反対側に配されて取り入れた外気を排出する排気口が形成された筒状のフレームと、
前記回転子鉄心を挟んで前記回転軸方向の両側で前記ロータシャフトを支持する結合側軸受および反結合側軸受と、
前記結合側軸受および前記反結合側軸受のそれぞれを固定支持し、前記フレームとともに前記取り入れ口から流入する部分である入口空間および前記排気口へ流出する部分である出口空間を有し外気の流路となる機内空間を形成し、前記フレームの前記回転軸方向の両側に接続する結合側軸受ブラケットおよび反結合側軸受ブラケットと、
前記フレーム内に外気を供給する外気供給装置と、
を備え、
前記回転子鉄心は、前記軸方向流路の前記出口空間に面する端部を閉止する軸方向流路閉止板を有し、
前記フレームは、前記固定子鉄心と前記フレーム間の環状流路の前記入口空間に面する端部を閉止する固定子閉止板を有する、
ことを特徴とする回転電機。
【請求項２】
前記固定子鉄心は、前記空隙の前記出口空間に面する端部から前記出口空間への外気の流出を抑制する空隙端部流出抑制板を有することを特徴とする請求項１に記載の回転電機。
【請求項３】
前記複数の固定子スロットのそれぞれには、前記固定子巻線導体の径方向内側の前記空隙側に配されて軸方向に延びた巻線導体押さえクサビが設けられており、
前記空隙端部流出抑制板は、
径方向に前記空隙を覆うように形成された環状の環状部と、
周方向に互いに間隔をおいて、前記環状部の径方向外側の互いに隣接する前記巻線導体押さえクサビの間に突出する複数の固定部と、
を有することを特徴とする請求項２に記載の回転電機。
【請求項４】
回転子鉄心が軸方向流路閉止板を有し、フレームが固定子閉止板を有する回転電機の組み立て方法であって、
前記フレームの内面に前記固定子閉止板を取り付ける固定子閉止板取り付けステップと、
前記固定子閉止板取り付けステップの後に反結合側軸受ブラケットを取り付ける反結合側軸受ブラケット取り付けステップと、
前記反結合側軸受ブラケット取り付けステップの後に、固定子を前記フレームに取り付ける固定子取り付けステップと、
前記固定子閉止板取り付けステップないし前記固定子取り付けステップに並行して、ロータシャフトに前記回転子鉄心を取り付けた後に軸方向流路の出口空間に面する端部に前記軸方向流路閉止板を取り付ける軸方向流路閉止板取付けステップと、
前記軸方向流路閉止板取付けステップの後に、結合側軸受、および結合側軸受ブラケットを取り付ける結合側軸受ブラケット取り付けステップと、
前記固定子取り付けステップおよび前記結合側軸受ブラケット取り付けステップの後に、回転子を前記固定子内に挿入する回転子挿入ステップと、
を有することを特徴とする回転電機の組み立て方法。
【発明の詳細な説明】
【技術分野】
【０００１】
本発明は、回転電機および回転電機の組み立て方法に関する。
【背景技術】
【０００２】
回転電機は、ロータシャフトおよび回転子鉄心を有する回転子と、固定子とを備えており、通常は、回転子鉄心および固定子は、フレーム内に収納されている。
【０００３】
回転電機の運転中に、回転子および固定子には、銅損や鉄損による熱が生ずる。回転子および固定子の各要素間の電気的な絶縁のため各種の絶縁材が使用されている。絶縁材の健全性を維持するためには、これらの温度を所定のレベル以下に保持する必要があり、そのために、回転子および固定子から熱を除去する必要がある。
【先行技術文献】
【特許文献】
【０００４】
【特許文献１】特開２００３−７９０９９号公報
【発明の概要】
【発明が解決しようとする課題】
【０００５】
回転電機を、全閉形とする必要がなければ、回転子および固定子の冷却のために外気を用いることができる。
【０００６】
たとえば、フレームの一方の端部に外気の取り入れ口を設け、ロータシャフトに取り付けた内扇により、外気をフレーム内部に取り入れ、回転子鉄心および固定子を一方向に通過させて冷却する方式が知られている（特許文献１参照）。
【０００７】
回転子鉄心および固定子鉄心での鉄損による発熱が大きくなると、これを効率的に除去するために、それぞれの鉄心内に軸方向に互いに間隔を空けてダクトすなわち径方向外側に向かう複数の流路を形成する方式が知られている。このような方式の場合、一方向に外気を流す方式とは整合しない。
【０００８】
また、たとえば、可変速の回転電機の場合、ロータシャフトの回転数により内扇の回転数が変化するが、フレーム内の発熱量は必ずしも回転数には比例しない場合がある。このような場合、駆動源を別にする外部ファン冷却方式も多く用いられている。
【０００９】
このように、外部ファン冷却方式の場合を含めて、鉄心にダクトが設けられている回転電機において効率的に冷却する構成が必要である。
【００１０】
そこで、本発明は、鉄心にダクトが設けられている回転電機において効率的に冷却を行うことを目的とする。
【課題を解決するための手段】
【００１１】
上述の目的を達成するため、本発明に係る回転電機は、回転軸方向に延びて回転可能に支持されたロータシャフトと、前記ロータシャフトの径方向外側に設けられ軸方向に貫通する軸方向流路および軸方向に互いに間隔をおいて形成されて前記軸方向流路から径方向外側への流路となる複数の回転子鉄心ダクトが形成された回転子鉄心とを有する回転子と、前記回転子鉄心の径方向外側に空隙を介して設けられ軸方向に互いに間隔をおいて形成されて前記空隙から径方向外側への流路となる複数の固定子鉄心ダクトが形成された円筒状の固定子鉄心と、前記固定子鉄心の径方向内側に周方向に互いに間隔をもって配されて軸方向に貫通する複数の固定子スロット内を貫通する固定子巻線導体を含む固定子巻線とを有する固定子と、前記固定子の径方向を覆うように配置され外気を取り入れるための取り入れ口および前記固定子を挟んで軸方向の反対側に配されて取り入れた外気を排出する排気口が形成された筒状のフレームと、前記回転子鉄心を挟んで前記回転軸方向の両側で前記ロータシャフトを支持する結合側軸受および反結合側軸受と、前記結合側軸受および前記反結合側軸受のそれぞれを固定支持し、前記フレームとともに前記取り入れ口から流入する部分である入口空間および前記排気口へ流出する部分である出口空間を有し外気の流路となる機内空間を形成し、前記フレームの前記回転軸方向の両側に接続する結合側軸受ブラケットおよび反結合側軸受ブラケットと、前記フレーム内に外気を供給する外気供給装置と、を備え、前記回転子鉄心は、前記軸方向流路の前記出口空間に面する端部を閉止する軸方向流路閉止板を有し、前記フレームは、前記固定子鉄心と前記フレーム間の環状流路の前記入口空間に面する端部を閉止する固定子閉止板を有する、ことを特徴とする。
【００１２】
また、本発明に係る回転電機の組み立て方法は、回転子鉄心が軸方向流路閉止板を有し、フレームが固定子閉止板を有する回転電機の組み立て方法であって、前記フレームの内面に前記固定子閉止板を取り付ける固定子閉止板取り付けステップと、前記固定子閉止板取り付けステップの後に反結合側軸受ブラケットを取り付ける反結合側軸受ブラケット取り付けステップと、前記反結合側軸受ブラケット取り付けステップの後に、固定子を前記フレームに取り付ける固定子取り付けステップと、前記固定子閉止板取り付けステップないし前記固定子取り付けステップに並行して、ロータシャフトに前記回転子鉄心を取り付けた後に軸方向流路の出口空間に面する端部に前記軸方向流路閉止板を取り付ける軸方向流路閉止板取付けステップと、前記軸方向流路閉止板取付けステップの後に、結合側軸受、および結合側軸受ブラケットを取り付ける結合側軸受ブラケット取り付けステップと、前記固定子取り付けステップおよび前記結合側軸受ブラケット取り付けステップの後に、回転子を前記固定子内に挿入する回転子挿入ステップと、を有することを特徴とする。
【発明の効果】
【００１３】
本発明によれば、鉄心にダクトが設けられている回転電機において効率的に冷却を行うことが可能となる。
【図面の簡単な説明】
【００１４】
【図１】第１の実施形態に係る回転電機の構成を示す縦断面図である。
【図２】第１の実施形態に係る回転電機の組み立て方法の手順を示すフロ―図である。
【図３】第１の実施形態に係る回転電機の組み立て方法における固定子閉止板の取り付け段階を示す縦断面図である。
【図４】第１の実施形態に係る回転電機の組み立て方法における反結合側軸受ブラケットの取り付け段階を示す縦断面図である。
【図５】第１の実施形態に係る回転電機の組み立て方法における固定子の取り付け段階を示す縦断面図である。
【図６】第１の実施形態に係る回転電機の組み立て方法における回転子を挿入中の状態を示す縦断面図である。
【図７】第１の実施形態に係る回転電機の組み立て方法における回転子を取り付け後の状態を示す縦断面図である。
【図８】第１の実施形態に係る回転電機の本体内の外気の流れを示す概念的縦断面図である。
【図９】第２の実施形態に係る回転電機の構成を示す縦断面図である。
【図１０】第２の実施形態に係る回転電機の固定子鉄心端部の構成を示す横断面図である。
【図１１】第２の実施形態に係る回転電機の固定子鉄心端部の構成を示す図９のＸＩ−ＸＩ線矢視横断面図である。
【図１２】第２の実施形態に係る回転電機の固定子鉄心端部の構成を示す図１１のＹＹ部分の詳細を示す部分横断面図である。
【図１３】第２の実施形態に係る回転電機の固定子鉄心端部の構成を示す図１１のＹＹ部分の詳細を示す図１２のＸＩＩＩ−ＸＩＩＩ線矢視部分断面図である。
【図１４】第３の実施形態に係る回転電機の構成を示す縦断面図である。
【発明を実施するための形態】
【００１５】
以下、図面を参照して、本発明の実施形態に係る回転電機および回転電機の組み立て方法について説明する。ここで、互いに同一または類似の部分には、共通の符号を付して、重複説明は省略する。
【００１６】
［第１の実施形態］
図１は、第１の実施形態に係る回転電機の構成を示す縦断面図である。回転電機１００は、本体１および外気供給装置５０を有する。
【００１７】
本体１は、回転子１０、固定子２０、結合側軸受３０ａおよび反結合側軸受３０ｂ、フレーム４０を有する。
【００１８】
回転子１０は、回転軸方向に延びたロータシャフト１１、およびロータシャフト１１の径方向外側に取り付けられた円筒状の回転子鉄心１２を有する。ロータシャフト１１の一端には、結合対象と結合するための結合部１１ａが形成されている。以下、結合部１１a側を結合側、これと反対側を反結合側と呼ぶ。回転子鉄心１２には、軸方向に貫通する軸方向流路１２ａが形成されている。また、回転子鉄心１２には、軸方向に互いに間隔をもって、軸方向流路１２ａから回転子鉄心１２の径方向外側に連通する複数の回転子鉄心ダクト１２ｄが形成されている。軸方向流路１２ａの結合側の端部は、軸方向流路閉止板１２ｐにより閉止されている。
【００１９】
固定子２０は、固定子鉄心２１および固定子巻線２２を有する。固定子鉄心２１は、円筒形状であり、回転子鉄心１２の径方向外側に空隙１８を介して設けられている。固定子鉄心２１には、軸方向に互いに間隔をもって、空隙１８から固定子鉄心２１の径方向外側に連通する複数の固定子鉄心ダクト２１ｄが形成されている。固定子巻線２２は、固定子鉄心２１内を軸方向に貫通している。
【００２０】
フレーム４０は、筒状であり、固定子２０の径方向外側を囲むように設けられている。フレーム４０は、その両端部取り付けられた環状板を有する。結合側の環状板に形成された結合側端部開口４０ｈは、固定子２０が通過可能な径を有する。
【００２１】
レーム４０の両側の端部には、結合側軸受ブラケット４５ａおよび反結合側軸受ブラケット４５ｂがそれぞれ取り付けられている。結合側軸受ブラケット４５ａおよび反結合側軸受ブラケット４５ｂは、それぞれ結合側軸受３０ａおよび反結合側軸受３０ｂを静止支持している。結合側軸受３０ａおよび反結合側軸受３０ｂは、回転子鉄心１２の軸方向の両側で、それぞれロータシャフト１１を回転可能に支持している。
【００２２】
固定子鉄心２１の径方向外側表面と、フレーム４０の内面との間には、間隙があり、軸方向に延びた環状流路４０ｆが形成されている。この環状流路４０ｆの反結合側の端部は、フレーム４０の内面に取り付けられた固定子閉止板４０ｃによって閉止されている。
【００２３】
フレーム４０には、取り入れ口４０ｐおよび排気口４０ｑが形成されている。取り入れ口４０ｐは、固定子２０より反結合側の部分に形成されている。また、排気口４０ｑは、固定子２０より結合側の部分に形成されている。取り入れ口４０ｐと排気口４０ｑとは、周方向に、回転軸に対して互いにほぼ反対側に位置している。
【００２４】
フレーム４０、結合側軸受ブラケット４５ａおよび反結合側軸受ブラケット４５ｂに囲まれた機内空間４０ａは、回転子鉄心１２および固定子２０の上流側であり取り入れ口４０ｐと連通する入口空間４０ｗと、回転子鉄心１２および固定子２０の下流側であり排気口４０ｑと連通する出口空間４０ｖとを有する。
【００２５】
外気供給装置５０は、外部ファン５１、駆動部５２、およびファンカバー５３を有する。外部ファン５１は軸流ファンであり、たとえば電動機などの駆動部５２により回転する。外部ファン５１はファンカバー５３内に収納されている。駆動部５２は、ファンカバー５３により静止支持されている。ファンカバー５３は、フレーム４０に取り付けられており、流入口５６および給気口５７が形成されている。流入口５６はファン５１の吸込み側、給気口５７はファン５１の吐出側に形成されている。給気口５７は、フレーム４０の取り入れ口４０ｐに隣接し、ファンカバー５３内の空間と、フレーム４０内の機内空間４０ａは、互いに連通している。
【００２６】
図２は、第１の実施形態に係る回転電機の組み立て方法の手順を示すフロ―図である。以下、図を参照しながら各ステップについて説明する。
【００２７】
図３は、第１の実施形態に係る回転電機の組み立て方法における固定子閉止板の取り付け段階を示す縦断面図である。まず、図３に示すように、フレーム４０には、結合側軸受ブラケット４５ａ（図１）および反結合側軸受ブラケット４５ｂは取り付けられておらず、また、外気供給装置５０も取り付けられていない。
【００２８】
この状態で、フレーム４０の内面に固定子閉止板４０ｃを取り付ける（ステップＳ０１）。なお、環状の固定子閉止板４０ｃをフレーム４０内に持ち込むことはできないため、たとえば、半割れにして、それぞれを持ち込んだ後に、それぞれをフレーム４０の内面に取り付けることができる。
【００２９】
なお、フレーム４０の結合側の端板の形成された結合側端部開口４０ｈは、後のステップＳ０３において固定子２０が通過可能な大きさである。
【００３０】
次に、図４に示すように、反結合側軸受ブラケット４５ｂをフレーム４０に取り付ける（ステップＳ０２）。図４は、第１の実施形態に係る回転電機の組み立て方法における反結合側軸受ブラケットの取り付け段階を示す縦断面図である。
【００３１】
次に、図５に示すように、固定子鉄心２１の端部が、固定子閉止板４０ｃに密着するように、固定子２０をフレーム４０内に取り付ける（ステップＳ０３）。図５は、第１の実施形態に係る回転電機の組み立て方法における固定子の取り付け段階を示す縦断面図である。
【００３２】
一方、ステップＳ０１からステップＳ０３の手順と並行して、次のステップＳ０４ないしステップＳ０６により、回転子１０の組み立てを行う。
【００３３】
まず、ロータシャフト１１に回転子鉄心１２を取り付ける（ステップＳ０４）。次に、回転子鉄心１２の結合側の端部に、軸方向流路閉止板１２ｐ（図１）を取り付ける（ステップＳ０５）。
【００３４】
次に、反結合側軸受３０ｂ、結合側軸受３０ａ、結合側軸受ブラケット４５ａおよび軸方向流路閉止板１２ｐを回転子１０に取り付ける（ステップＳ０６）。なお、反結合側軸受３０ｂについては、後述するステップＳ０７での回転子１０の固定子２０への挿入時に、挿入を妨げる可能性がある場合がある。この場合には、反結合側軸受３０ｂは、この段階でロータシャフト１１に取り付けずに、ステップＳ０７の後に取り付けることとする。
【００３５】
なお、ステップＳ０４ないしステップＳ０６は、ステップＳ０１ないしステップＳ０３との前後関係は問わない。
【００３６】
次に、回転子１０、反結合側軸受３０ｂ、結合側軸受３０ａ、結合側軸受ブラケット４５ａおよび軸方向流路閉止板１２ｐが一体化された状態で、回転子１０を固定子２０に挿入する（ステップＳ０７）。図６は、第１の実施形態に係る回転電機の組み立て方法における回転子を挿入中の状態を示す縦断面図である。
【００３７】
次に、回転子１０、反結合側軸受３０ｂ、結合側軸受３０ａ、結合側軸受ブラケット４５ａおよび軸方向流路閉止板１２ｐが一体化された状態で、これらを正規の状態に取り付ける。
【００３８】
図７は、第１の実施形態に係る回転電機の組み立て方法における回転子を取り付け後の状態を示す縦断面図である。ここで、反結合側軸受３０ｂは、フレーム４０に取り付けられた反結合側軸受ブラケット４５ｂに支持された状態となる。また、結合側軸受ブラケット４５ａが、フレーム４０に取り付けられる。
【００３９】
次に、外気供給装置５０を本体１に取り付ける（ステップＳ０８）。
【００４０】
次に、本第１の実施形態に係る回転電機１００の作用について説明する。
【００４１】
図８は、第１の実施形態に係る回転電機の本体内の外気の流れを示す概念的縦断面図である。回転電機１００の運転状態においては、外気供給装置５０も運転され、外部ファン５１が駆動装置により回転している。外気は、ファンカバー５３の流入口５６からファンカバー５３内に流入し、給気口５７から流出し、フレーム４０の取り入れ口４０ｐからフレーム４０内の機内空間４０ａの反結合側の部分である入口空間４０ｗに流入する。
【００４２】
入口空間４０ｗに流入した外気は、固定子２０の径方向の外側の環状流路４０ｆの入口に固定子閉止板４０ｃが設けられていることから、回転子１０に形成された軸方向流路１２ａ、および回転子鉄心１２と固定子鉄心２１との間の空隙１８のいずれかに流入する。
【００４３】
回転子１０に形成された軸方向流路１２ａに流入した外気は、軸方向流路１２ａを反結合側から結合側に向かって流れ、順次、回転子鉄心ダクト１２ｄに流入する。なお、軸方向流路１２ａの結合側の端部は、前述のように、軸方向流路閉止板１２ｐにより閉止されているので、軸方向流路１２ａに流入した外気が、回転子鉄心ダクト１２ｄを流れずに直接に出口空間４０ｖに流出することがない。
【００４４】
軸方向流路１２ａから回転子鉄心ダクト１２ｄに流入した外気は、回転子鉄心１２と固定子鉄心２１との間の空隙１８に流出する。
【００４５】
空隙１８に流出した外気は、フレーム４０内の入口空間４０ｗに流入して直接に空隙１８に流入した外気と混合し、空隙１８から、固定子鉄心２１に形成された複数の固定子鉄心ダクト２１ｄのそれぞれに流入する。
【００４６】
固定子鉄心ダクト２１ｄに流入した外気は、径方向外側に流れ、固定子鉄心２１の径方向外側の環状流路４０ｆに流出する。環状流路４０ｆに流入した外気は、軸方向に結合側に向かって流れ、環状流路４０ｆから、機内空間４０ａの結合側の部分である出口空間４０ｖに流出する。
【００４７】
環状流路４０ｆから出口空間４０ｖに流出した外気は、互いに合流し、排気口４０ｑを経由して、機内空間４０ａから本体１の外部に流出する。
【００４８】
以上のように、本実施形態においては、外気は、回転子鉄心１２の各部、および固定子鉄心２１の各部を広く冷却した後に、外部に流出する。
【００４９】
［第２の実施形態］
本第２の実施形態は、第１の実施形態の変形である。本第２の実施形態に係る回転電機１００ａは、環状空間である空隙１８の下流側の端部からの外気の流出を抑制する空隙端部流出抑制板２４を有する。これ以外は、第１の実施形態と同様である。
【００５０】
図９は、第２の実施形態に係る回転電機の構成を示す縦断面図である。図１０は、本実施形態に係る回転電機の固定子鉄心端部の構成を示す横断面図であり、図１１は、図９のＸＩ−ＸＩ線矢視横断面図である。図１０は、空隙端部流出抑制板２４より軸方向内側の断面図であり、図１１は、空隙端部流出抑制板２４を含む断面図である。
【００５１】
図１０に示すように、固定子２０の端部では、固定子巻線２２の固定子巻線導体２２ａが、固定子鉄心２１に形成された固定子スロット２１ａの軸方向端部から軸方向外側に突出している。固定子巻線導体２２ａの径方向内側への突出防止用として、固定子スロット２１ａの空隙１８の方向の開口に設けられ軸方向に延びた板状の巻線導体押さえクサビ２１ｔも、固定子鉄心２１の軸方向端部から軸方向外側に突出している。
【００５２】
図１１に示すように、空隙端部流出抑制板２４は、環状の板であり、径方向外側に凹凸を有する。空隙端部流出抑制板２４は、軸方向から見て、回転子鉄心１２と固定子鉄心２１との間の空隙１８（図１０）を覆うように形成されている。
【００５３】
図１２は、固定子鉄心端部の構成を示す図１１のＹＹ部分の詳細を示す部分横断面図であり、図１３は、図１２のＸＩＩＩ−ＸＩＩＩ線矢視部分断面図である。
【００５４】
空隙端部流出抑制板２４は、環状部２４ａと、固定部２４ｂ、および環状シール部材２４ｃ（図１３）を有する。
【００５５】
環状部２４ａは、環状の板であり、軸方向から見ると、径方向に空隙１８を覆うように形状、寸法が形成されている。
【００５６】
固定部２４ｂは、それぞれが長方形であり、周方向に互いに間隔をおいて、環状部２４ａの径方向外側の互いに隣接する巻線導体押さえクサビ２１ｔとの間の空間に突出している。なお、固定部２４ｂの形状は、長方形に限らずたとえば、台形でもよい。固定部２４ｂは、環状部２４ａよりも厚い肉厚を有する。環状部２４ａと固定部２４ｂは、固定子鉄心２１側の面で互いの段差を有する。
【００５７】
固定部２４ｂは、たとえば、接着剤等によって、固定子鉄心２１に取り付けられている。あるいは、ボルト等によって機械的に取り付けられていてもよい。あるいは、巻線導体押さえクサビ２１ｔに固定されることでもよい。
【００５８】
なお、以上は、空隙端部流出抑制板２４を、固定子鉄心２１の軸方向外側に直接設ける場合を例にとって示したが、これに限定されない。たとえば、固定子鉄心２１の軸方向の両外側に、固定子鉄心２１を軸方向に挟むクランパが設けられている場合であっても同様である。この場合は、空隙端部流出抑制板２４を、クランパに固定することができる。
【００５９】
環状部２４ａと固定部２４ｂが固定子鉄心２１側の面で互いの段差を有することから、環状部２４ａと回転子鉄心１２との間には、軸方向にギャップが生ずる。環状シール部材２４ｃは、環状部２４ａの回転子鉄心１２側の面に取り付けられて、このギャップを埋める。環状シール部材２４ｃは、伸縮性を有し、回転子鉄心１２に接触しても、回転子鉄心１２に摩擦力をほとんどか加えない。環状シール部材２４ｃの回転子鉄心１２側の面は、滑らかで摩擦係数は出来る限り低いことが好ましい。
【００６０】
なお、環状シール部材２４ｃが設けられていることによりギャップが小さくなれば、環状シール部材２４ｃは、回転子鉄心１２に接触しなくともよい。あるいは、環状シール部材２４ｃが設けられていなくとも、環状部２４ａが設けられていることにより、空隙１８から出口空間４０ｖへの外気の流出が、所期の程度に抑制されるのであれば、環状シール部材２４ｃを必ずしも設けなくともよい。
【００６１】
なお、本実施形態に係る回転電機１００ａにおいては、回転子１０を固定子２０に挿入する際に、結合側軸受ブラケット４５ａを閉止せずに、空隙端部流出抑制板２４を取り付け、その後に、結合側軸受ブラケット４５ａを閉止する手順により、組み立てが可能である。
【００６２】
以上のように形成された本実施形態に係る回転電機では、回転子１０から空隙１８に流入する外気、および直接に空隙１８に流入する外気は、ほぼ全量が、固定子２０側に流入することから、冷却能力をさらに確保することができる。
【００６３】
［第３の実施形態］
図１４は、第３の実施形態に係る回転電機の構成を示す縦断面図である。
【００６４】
本第３の実施形態は、第１の実施形態の変形である。本第３の実施形態に係る回転電機１００ｂは、結合側のガイド４８ａおよび反結合側のガイド４８ｂを有する。これ以外は、第１の実施形態と同様である。
【００６５】
ガイド４８ａは、フレーム４０および結合側軸受ブラケット４５ａの内面に設けられ、滑らかな流路を形成して、外気の流れの圧力損失を低減する。同様に、ガイド４８ｂは、フレーム４０および反結合側軸受ブラケット４５ｂの内面に設けられ、滑らかな流路を形成して、外気の流れの圧力損失を低減する。
【００６６】
以上のように、本第３の実施形態に係る回転電機１００ｂにおいては、外気の流れによる圧力損失の低減を図ることができる。
【００６７】
［その他の実施形態］
以上、本発明の実施形態を説明したが、実施形態は例として提示したものであり、発明の範囲を限定することは意図していない。たとえば、実施形態においては、横置型の回転電機の場合を例にとって示したが、立置型の場合であってもよい。
【００６８】
また、実施形態では、入口空間が反結合側の空間、出口空間が結合側の空間の場合を例にとって示したが、逆に、入口空間が結合側の空間、出口空間が反結合側の空間の場合であってもよい。
【００６９】
さらに、実施形態は、その他の様々な形態で実施されることが可能であり、発明の要旨を逸脱しない範囲で、種々の省略、置き換え、変更を行うことができる。実施形態やその変形は、発明の範囲や要旨に含まれると同様に、特許請求の範囲に記載された発明とその均等の範囲に含まれるものである。
【符号の説明】
【００７０】
１…本体、１０…回転子、１１…ロータシャフト、１１ａ…結合部、１２…回転子鉄心、１２ａ…軸方向流路、１２ｄ…回転子鉄心ダクト、１２ｐ…軸方向流路閉止板、１８…空隙、２０…固定子、２１…固定子鉄心、２１ａ…固定子スロット、２１ｄ…固定子鉄心ダクト、２１ｔ…巻線導体押さえクサビ、２２…固定子巻線、２２ａ…固定子巻線導体、２４…空隙端部流出抑制板、２４ａ…環状部、２４ｂ…固定部、２４ｃ…環状シール部材、３０ａ…結合側軸受、３０ｂ…反結合側軸受、４０…フレーム、４０ａ…機内空間、４０ｃ…固定子閉止板、４０ｆ…環状流路、４０ｈ…結合側端部開口、４０ｐ…取り入れ口、４０ｑ…排気口、４０ｖ…出口空間、４０ｗ…入口空間、４５ａ…結合側軸受ブラケット、４５ｂ…反結合側軸受ブラケット、４８ａ、４８ｂ…ガイド、５０…外気供給装置、５１…外部ファン、５２…駆動部、５３…ファンカバー、５６…流入口、５７…給気口、１００、１００ａ、１００ｂ…回転電機
【図１】
2020145785.tif 000003
【図２】
2020145785.tif 000004
【図３】
2020145785.tif 000005
【図４】
2020145785.tif 000006
【図５】
2020145785.tif 000007
【図６】
2020145785.tif 000008
【図７】
2020145785.tif 000009
【図８】
2020145785.tif 000010
【図９】
2020145785.tif 000011
【図１０】
2020145785.tif 000012
【図１１】
2020145785.tif 000013
【図１２】
2020145785.tif 000014
【図１３】
2020145785.tif 000015
【図１４】
2020145785.tif 000016